(57)【特許請求の範囲】
【請求項１】
水底上に構築物を固定して設置するための工法であって、
板状に形成してあるとともに下縁に止水用フラップを設けてあり、さらに浮体を着脱可能に設けた締切鋼殻を用意し、この締切鋼殻を所定間隔で平行に向かい合わせて水底上に立設する工程、締切鋼殻の内側から水底に支持杭を打設し、さらにこの支持杭と締切鋼殻とを締着する工程、これら支持杭に沿って矢板を水底に夫々打設する工程、この矢板と締切鋼殻との結合面周囲に止水モルタルを注入する工程、対向する矢板間の排水を行うとともに露出した水底土を所定深度まで掘削する工程、この掘削部分上に構築物を設置するとともに、排水部分に注水する工程、支持杭及び矢板の締切鋼殻との結合を切断する工程、及び締切鋼殻を撤去する工程とを含むことを特徴とする構築物の仮締切工法。
【発明の詳細な説明】
【０００１】
【発明の属する技術分野】
本発明は構築物の仮締切工法に関し、更に詳細には比較的浅深度の水底に構築物を固定する方法に関する。
【０００２】
【従来の技術】
一般に、川や沿岸部のような比較的浅深度の水底に橋脚などの構築物（躯体）を設置する場合、構築物が構築される部分の周囲を仮締切の板材で覆い、内部を排水することで施工を容易にする仮締切工法が採用されることがある。
【０００３】
この場合、築造すべき構造物周辺の水底面に直接に仮締切を設置する。例えば地盤がある程度柔らかい場合には鋼矢板、鋼管矢板等を連続に打ち込むことが多く、また打ち込むのが不可能なほど硬い地盤では穿孔機の補助による建て込みや重力式の仮締切を築造する。
【０００４】
ところで、仮締切の板材は水底以下の深度へ掘削を行ったり構築物を構築する上で作業足場を兼ねることが多いため、その設置や撤去が容易であることが望ましい。
【０００５】
特に、（１）水深が浅く作業船が入れない水域（２）狭隘で陸地が作業用地として使用できない場合（３）道路橋や鉄道橋等によって桁下空間に余裕がない場合（４）水底に汚染物質が存在していて解放水域での土砂掘削等ができない場合。等には施工の可否を左右する問題となる。
【０００６】
【発明が解決しようとする課題】
ところが、従来の仮締切工法では仮締切の施工に、杭内船、土運船、クレーン船、プラント船等の大型施工機械が必要となる。したがって、水面上の高さは少なくとも１０ｍ程度は必要となり、また喫水も最低２ｍ程度となる。
【０００７】
このため、前記（１）から（４）に示したような環境下では水路やボックスカルバートを施工できないという問題がある。
本発明はかかる従来の問題点を解決するためになされたもので、水上に充分な空間が得られないところや浅深度のところでも仮締切の設置や撤去が容易な構築物の仮締切工法を提供することにある。
【０００８】
【課題を解決するための手段】
本発明は、前述した技術的課題を解決するために以下のような方法を採った。
すなわち、水底１上に構築物２を固定して設置するための工法であって、
板状に形成してあるとともに下縁に止水用フラップ３を設けてあり、さらに浮体４を着脱可能に設けた締切鋼殻５を用意する。
【０００９】
この締切鋼殻５には足場や、支持杭６をボルト締めするためのブラケットを設けてもよい。また、締切鋼殻５全体を複数の部材に分割し、これらを結合して構成してもよい。なお、止水用フラップ３はゴム製が好適であり、その幅や形状は漏水を防止するため水底の状態によって決定するのがよい。
【００１０】
そして、このような構成になる締切鋼殻５を所定間隔で平行に向かい合わせて水底１上に立設する工程、双方の締切鋼殻５の内側から水底１に支持杭６を打設し、さらにこの支持杭６と締切鋼殻５とを締着する工程を有している。
【００１１】
次に、これら支持杭６に沿って矢板７を水底１に夫々打設する工程、この矢板７と締切鋼殻５との結合面周囲に止水モルタル８を注入する工程、対向する矢板７間の排水を行うとともに露出した水底土を所定深度まで掘削する工程を有している。
【００１２】
ただし、水底の掘削は構築物２の重量や負荷重量あるいは水底１の強度等種々の条件により判断すべきもので、必ずしも行う必要はない。なお、基礎構築する際にはバケットによる掘削の他、ハンマーによる杭打設も可能である。
【００１３】
そして、掘削に先んじて必要に応じて掘削面に固結改良体を注入することも可能である。これは、地盤の状態が悪いとき、例えば、湧水に伴うボイリングがあるようなときに実施するのがよい。
【００１４】
この掘削部分上に構築物２を設置するとともに、排水部分に注水する工程、支持杭６及び矢板７の締切鋼殻５との結合を切断する工程、及び締切鋼殻５を撤去する工程により本仮締切工法を利用した本体構造物が完成する。
【００１５】
【発明の実施の形態】
以下、本発明の仮締切工法を利用した構築物の築造方法を、図１ないし図９に示される実施形態について更に詳細に説明する。なお、図１０は施工手順を示すフローチャート図である。
【００１６】
図１は本工法の第１段階を示し、水底１上に構築物２を固定するために予め締切鋼殻５を水底１上に設置する工程を示している。締切鋼殻５は無底無蓋の箱形をなしており、下縁にゴム製の止水用フラップ３を設けてある（ステップ５０）。この止水用フラップ３は２重になっており、水底１に密接して締切鋼殻５で囲まれた部分に浸水しないようになっている。
【００１７】
なお、締切鋼殻５の上部には浮体４が着脱可能に設けられており、締切鋼殻５の水中での移動が容易となるようになっている。
締切鋼殻５の下部内側には断面長方形のブラケット５ａが溶接されている。このブラケットにはボルト孔（図示せず）が穿設されている。
【００１８】
この締切鋼殻５を水底１上に立設し、図２に示すように、締切鋼殻５の内側から水底１に支持杭６を打設する（ステップ５１）。完全に打設した状態で支持杭６の上端をボルトでブラケット５ａに締着する（ステップ５２）。これにより土留めと地盤の安定が図られるようになっている。
【００１９】
そして、図３に示すように、支持杭６に沿って矢板７を水底１に夫々打設する（ステップ５３）。そして矢板７と締切鋼殻５との結合面周囲に止水モルタル８を注入する（ステップ５４）。ここで水底１の強度が弱い場合には、図４に示すように、セメントなどの固結改良体を地盤に注入する（ステップ５５）。
【００２０】
次に、図５に示すように、締切鋼殻５で囲まれた部分の水を抜き水位９を下げた後ドライアップを実施する（ステップ５６）。また、必要に応じて掘削及び排土を行う（ステップ５７）。
続いて、この掘削部分上に構築物２を設置（図６）するとともに（ステップ５８）、排水部分に注水する（図７）（ステップ５９）。
【００２１】
次に、図８に示すように、前記ボルトを外し支持杭６及び矢板７の締切鋼殻５との結合を解除する。このとき、止水モルタル８も同時に切断する（ステップ６０）。
【００２２】
これにより図９に示すように、支持杭６及び矢板７は地中に残り締切鋼殻５だけを取り外すことができる（ステップ６１）。
締切鋼殻５には損傷がなく繰り返し使用することが可能である。
【００２３】
【発明の効果】
本発明によれば、構築物を仮締切工法で構築する際、締切鋼殻の設置や撤去が容易であり、大規模な設備や広い空間が不要である。このため、水深が浅く作業船が入れない水域や狭隘で陸地が作業用地として使用できない場合、さらには道路橋や鉄道橋等によって桁下空間に余裕がない場合でも仮締切工法の実施が可能となった。
【図面の簡単な説明】
【図１】本発明の一実施形態である構築物の仮締切工法の第１段階を示す断面図である。
【図２】本発明の一実施形態である構築物の仮締切工法の第２段階を示す断面図である。
【図３】本発明の一実施形態である構築物の仮締切工法の第３段階を示す断面図である。
【図４】本発明の一実施形態である構築物の仮締切工法の第４段階を示す断面図である。
【図５】本発明の一実施形態である構築物の仮締切工法の第５段階を示す断面図である。
【図６】本発明の一実施形態である構築物の仮締切工法の第６段階を示す断面図である。
【図７】本発明の一実施形態である構築物の仮締切工法の第７段階を示す断面図である。
【図８】本発明の一実施形態である構築物の仮締切工法の第８段階を示す断面図である。
【図９】本発明の一実施形態である構築物の仮締切工法の第９段階を示す断面図である。
【図１０】本発明の一実施形態である構築物の仮締切工法の施工手順を示すフローチャート図である。
【符号の説明】
１  水底
２  構築物
３  止水用フラップ
４  浮体
５  締切鋼殻
６  支持杭
７  矢板
８  止水モルタル
９  水面
【図１】
0004206165.tif 000002
【図２】
0004206165.tif 000003
【図３】
0004206165.tif 000004
【図４】
0004206165.tif 000005
【図５】
0004206165.tif 000006
【図６】
0004206165.tif 000007
【図７】
0004206165.tif 000008
【図８】
0004206165.tif 000009
【図９】
0004206165.tif 000010
【図１０】
0004206165.tif 000011